(57)【要約】      （修正有）【課題】不要な方向への薬液の飛散防止効果をより高めるとともに、特定の果樹栽培に対して、散布効率及び散布効果を高めたスピードスプレーヤの薬液散布機構を提供する。【解決手段】車両ボディ２の左右側面２ｐ，２ｑ及び上面２ｕに跨がる送風出口３を通る送風経路内に複数の噴射ノズルを配してなる薬液散布機構を構成するに際して、送風出口３に付設することにより、先端に特定の方向に向けて開口し、かつ送風出口（一次出口）３に連通する二次出口５を設けた散布ダクト６と、この散布ダクト６の内部に配し、かつ二次出口５に沿って配した少なくとも一以上の噴射ノズルと、散布ダクト６の内部に配し、かつ二次出口５に沿って配した少なくとも一以上の整流板とを備えて構成した少なくとも一以上の適化散布部Ｓを設ける。【選択図】図１
2018069110.tif 000002
【特許請求の範囲】
【請求項１】
車両ボディの左右側面及び上面に跨がる送風出口を通る送風経路内に複数の噴射ノズルを配してなるスピードスプレーヤの薬液散布機構において、前記送風出口に付設することにより、先端に特定の方向に向けて開口し、かつ前記送風出口（一次出口）に連通する二次出口を設けた散布ダクトと、この散布ダクトの内部に配し、かつ前記二次出口に沿って配した少なくとも一以上の噴射ノズルと、前記散布ダクトの内部に配し、かつ前記二次出口に沿って配した少なくとも一以上の整流板とを備えて構成した少なくとも一以上の適化散布部を設けたことを特徴とするスピードスプレーヤの薬液散布機構。
【請求項２】
前記適化散布部は、前記車両ボディの左右にそれぞれ配し、かつ左方又は右方に向けて開口した前記二次出口を有する一対の散布ダクトを備えることを特徴とする請求項１記載のスピードスプレーヤの薬液散布機構。
【請求項３】
前記散布ダクトは、前記車両ボディに対して固定し、又は着脱可能に構成することを特徴とする請求項１又は２記載のスピードスプレーヤの薬液散布機構。
【請求項４】
前記適化散布部は、前記噴射ノズルの噴射方向を変更可能に支持する第一支持機構を備えることを特徴とする請求項１記載のスピードスプレーヤの薬液散布機構。
【請求項５】
前記適化散布部は、前記整流板の整流方向を変更可能に支持する第二支持機構を備えることを特徴とする請求項１記載のスピードスプレーヤの薬液散布機構。
【請求項６】
前記適化散布部は、前記第一支持機構と前記第二支持機構を連動させる連動機構を備えることを特徴とする請求項４又は５記載のスピードスプレーヤの薬液散布機構。
【請求項７】
前記適化散布部は、前記噴射ノズルに加え、少なくとも一以上の放出ノズルを備えることを特徴とする請求項１記載のスピードスプレーヤの薬液散布機構。
【請求項８】
前記適化散布部は、前記放出ノズルの放出方向を変更可能に支持する第三支持機構を備えることを特徴とする請求項７記載のスピードスプレーヤの薬液散布機構。
【発明の詳細な説明】
【技術分野】
【０００１】
本発明は、車両ボディの左右側面及び上面に跨がる送風出口を通る送風経路内に噴射ノズルを配してなるスピードスプレーヤの薬液散布機構に関する。
【背景技術】
【０００２】
従来、車両ボディの左右側面及び上面に跨がる送風出口を通る送風経路内に、複数の噴射ノズルを配し、送風部からの送風により、当該噴射ノズルから噴射される薬液を、当該送風出口から放射方向に散布する薬液散布手段を搭載したスピードスプレーヤは知られている。
【０００３】
ところで、この種のスピードスプレーヤは、農薬等の薬液を散布することから、理想的には散布対象物にのみ散布が行われ、散布の不要な場所には散布されないことが望ましい。このため、既に、本出願人もこの課題に対応する技術として、特許文献１によるスピードスプレーヤの薬液噴霧機構及び特許文献２によるスピードスプレーヤの風量設定装置を提案した。
【０００４】
特許文献１の薬液噴霧機構は、民家や無農薬栽培畑等の薬液散布を回避したい方向への薬液飛散をより確実に回避するとともに、簡易な構成により容易かつ低コストの実施を可能にすることを目的としたものであり、具体的には、右方，左方及び上方を含む放射方向の所定範囲に薬液を噴霧するスピードスプレーヤの薬液噴霧機構を構成するに際して、所定範囲における一部範囲を遮断して薬液の噴霧を規制する遮断部材と、この遮断部材を一部範囲を遮断する使用位置又はこの遮断を解除する非使用位置に選択的に位置させる格納手段を設けて構成したものである。また、特許文献２の風量設定装置は、高さの異なる各種噴霧対象物（リンゴの木，ブドウ棚等）に対し、それぞれ最適な風量に基づく的確な薬液噴霧を可能にして各種噴霧対象物に対する適応性、更には汎用性を高めることを目的としたものであり、具体的には、噴射ノズルに対する送風方向の上流側における上方に向かう送風に対して変位可能に配するとともに、変位により、通過する風量を変更可能な一又は二以上の制風板と、これらの制風板を変位させるアクチュエータと、このアクチュエータを駆動制御する駆動制御手段とを備えて構成したものである。
【先行技術文献】
【特許文献】
【０００５】
【特許文献１】特開２００６−０２６４９０号公報
【特許文献２】特開２０１３−２４４４７３号公報
【発明の概要】
【発明が解決しようとする課題】
【０００６】
しかし、上述したスピードスプレーヤに搭載する薬液散布手段に係わる従来の技術は、次のような解決すべき課題も残されていた。
【０００７】
第一に、車両ボディの外面に位置する送風出口から放射方向に散布するミスト状の薬液に対し、その一部をプレート部材により規制（遮断）したり風量を規制する手法、いわば消極的手法に基づくため、必ずしも十分な規制効果を確保しにくい。即ち、規制されていない送風出口からの散布態様はそのままであるとともに、送風の一部規制により送風方向に新たな変動も生じるため、不要な方向への薬液の飛散防止効果をより高める観点からは更なる改善の余地があった。
【０００８】
第二に、各種果樹に対応できるように汎用性を考慮し、例えば、散布高さ（範囲）が比較的低くなるリンゴのわい化栽培やワイン用ブドウ栽培等の特定の果樹栽培に対して、最適な散布を行うことを考慮したものではないため、このような特定の果樹栽培に対する散布効率及び散布効果を最適化することができない。したがって、リンゴのわい化栽培やワイン用ブドウ栽培等の特定の果樹栽培に対して、最も少ない散布量により最も高い散布効果を狙う観点からは限界があり、この点からも更なる改善の余地があった。
【０００９】
本発明は、このような背景技術に存在する課題を解決したスピードスプレーヤの薬液散布機構の提供を目的とするものである。
【課題を解決するための手段】
【００１０】
本発明に係るスピードスプレーヤＭの薬液散布機構１は、上述した課題を解決するため、車両ボディ２の左右側面２ｐ，２ｑ及び上面２ｕに跨がる送風出口３を通る送風経路Ｒ内に複数の噴射ノズルを配してなる薬液散布機構を構成するに際して、送風出口３に付設することにより、先端に特定の方向に向けて開口し、かつ送風出口（一次出口）３に連通する二次出口５…を設けた散布ダクト６…と、この散布ダクト６…の内部に配し、かつ二次出口５…に沿って配した少なくとも一以上の噴射ノズル７…と、散布ダクト６…の内部に配し、かつ二次出口５…に沿って配した少なくとも一以上の整流板８…とを備えて構成した少なくとも一以上の適化散布部Ｓ…を設けてなることを特徴とする。
【００１１】
この場合、発明の好適な態様により、適化散布部Ｓ…には、車両ボディ２の左右にそれぞれ配し、かつ左方又は右方に向けて開口した二次出口５…を有する一対の散布ダクト６，６を設けることができる。この散布ダクト６，６は、車両ボディ２に対して固定してもよいし、又は着脱可能に構成してもよい。さらに、適化散布部Ｓ…には、噴射ノズル７…の噴射方向Ｆｅ…を変更可能に支持する第一支持機構１１…を設けることができるとともに、整流板８…の整流方向Ｆｓ…を変更可能に支持する第二支持機構１２…を設けることができる。なお、適化散布部Ｓ…には、第一支持機構１１…と第二支持機構１２…を連動させる連動機構１３…を設けることが望ましい。他方、適化散布部Ｓ…には、噴射ノズル７…に加え、少なくとも一以上の放出ノズル１５…を設けることができるとともに、この適化散布部Ｓ…には、放出ノズル１５…の放出方向Ｆｒ…を変更可能に支持する第三支持機構１６…を設けることができる。
【発明の効果】
【００１２】
このような構成を有する本発明に係るスピードスプレーヤＭの薬液散布機構１によれば、次のような顕著な効果を奏する。
【００１３】
（１）  送風出口３に付設することにより、先端に特定の方向に向けて開口し、かつ送風出口（一次出口）３に連通する二次出口５…を設けた散布ダクト６…と、この散布ダクト６…の内部に配し、かつ二次出口５…に沿って配した少なくとも一以上の噴射ノズル７…と、散布ダクト６…の内部に配し、かつ二次出口５…に沿って配した少なくとも一以上の整流板８…とを備えて構成した少なくとも一以上の適化散布部Ｓ…を設けてなるため、散布手法としては、薬液の散布方向を規制する方法ではなく、薬液の散布方向を特定する方法、いわば積極的手法となる。この結果、不要な方向への薬液の飛散防止効果をより高めることができる。
【００１４】
（２）  特定の果樹栽培、例えば、散布高さ（範囲）が比較的低くなるリンゴのわい化栽培やワイン用ブドウ栽培等に対して、最も少ない散布量により最も高い薬液効果を享受できるなど、散布効率及び散布効果を飛躍的に高めることが可能になり、特定の果樹栽培に対する薬液散布の最適化を実現することができる。
【００１５】
（３）  好適な態様により、適化散布部Ｓ…に、車両ボディ２の左右にそれぞれ配し、かつ左方又は右方に向けて開口した二次出口５…を有する一対の散布ダクト６…を設ければ、特定範囲となるスピードスプレーヤＭの左方及び右方にのみ薬液を散布できるため、特に、散布高さ（範囲）が比較的低くなるリンゴのわい化栽培やワイン用ブドウ栽培等に対する薬液散布にとって最適な散布を行うことができる。
【００１６】
（４）  好適な態様により、散布ダクト６…は、車両ボディ２に対して固定してもよいし又は着脱可能に構成してもよいなど、機種グレード等に対応して取付形態を選択できる。特に、着脱可能に構成すれば、既存のスピードスプレーヤＭに対しても後付けすることも可能になるため、適化散布部Ｓ…をアタッチメントとして用意すれば、ユーザーはスピードスプレーヤＭを買い替えることなく、所有するスピードスプレーヤＭの性能（付加価値）を高めることができる。これにより、汎用性の高い薬液散布機構１として提供できるとともに、必要に応じて、本発明に係る薬液散布機構１と従来の散布形態を選択して利用することができる。
【００１７】
（５）  好適な態様により、適化散布部Ｓ…に、噴射ノズル７…の噴射方向Ｆｅ…を変更可能に支持する第一支持機構１１…を設ければ、第一支持機構１１…により噴射ノズル７…の噴射方向Ｆｅ…を可変調整できるため、特に、散布対象物に対する散布方向の最適化を容易に行うことができる。
【００１８】
（６）  好適な態様により、適化散布部Ｓ…に、整流板８…の整流方向Ｆｓを変更可能に支持する第二支持機構１２…を設ければ、第二支持機構１２…により整流板８…の整流方向Ｆｓを可変調整できるため、噴射ノズル７…における噴射方向Ｆｅの可変調整と併せて、散布対象物に対する散布方向の安定化及び適正化を図ることができる。
【００１９】
（７）  好適な態様により、適化散布部Ｓ…に、第一支持機構１１…と第二支持機構１２…を連動させる連動機構１３を設ければ、いわゆるワンタッチ操作（動作）により、各噴射ノズル７…及び各整流板８…の向きを同時に調整できるため、可変調整の容易化及び迅速化を図れるとともに、ユーザーの利便性の向上にも寄与できる。
【００２０】
（８）  好適な態様により、適化散布部Ｓ…に、噴射ノズル７…に加え、少なくとも一以上の放出ノズル１５…を設ければ、噴射ノズル７…によっては散布できない範囲、特に、高さのある散布対象物に対しても薬液散布が可能になるため、例えば、公園やゴルフ場等における高い樹木に対しての薬液散布も確実に行うことができるなど、使用範囲をより広げることができるとともに、スピードスプレーヤＭの機能性及び多様性を含む商品性をより高めることができる。
【００２１】
（９）  好適な態様により、適化散布部Ｓ…に、放出ノズル１５…の放出方向Ｆｒを変更可能に支持する第三支持機構１６を設ければ、第三支持機構１６…により放出ノズル１５…の放出方向Ｆｒを可変調整できるため、特に、高い樹木等の散布対象物に対する散布方向の最適化を図ることができる。
【図面の簡単な説明】
【００２２】
【図１】本発明の好適実施形態に係る薬液散布機構を備えるスピードスプレーヤの外観背面図を含む作用説明図、
【図２】同薬液散布機構の図６中Ａ−Ａ線拡大断面図、
【図３】同薬液散布機構の背面から見た外観斜視図、
【図４】同薬液散布機構の外観平面図、
【図５】同薬液散布機構の一部を拡大して示す一部断面側面図、
【図６】同薬液散布機構を備えるスピードスプレーヤの外観側面図、
【図７】同薬液散布機構の操作系のブロック系統図、
【図８】同薬液散布機構の噴射ノズルを含む要部構造の作用説明図、
【図９】同薬液散布機構の放出ノズルを含む要部構造の作用説明図、
【図１０】本発明の第一変更実施形態に係る薬液散布機構の背面方向から見た機能説明図、
【図１１】本発明の第二変更実施形態に係る薬液散布機構の背面方向から見た機能説明図、
【図１２】同薬液散布機構の使用説明図、
【図１３】同薬液散布機構の他の使用説明図、
【発明を実施するための形態】
【００２３】
次に、本発明に係る好適実施形態を挙げ、図面に基づき詳細に説明する。
【００２４】
まず、本実施形態に係る薬液散布機構１の理解を容易にするため、スピードスプレーヤＭの基本構成の概要について、図１及び図６を参照して説明する。
【００２５】
図６に示すスピードスプレーヤＭにおいて、２は車両ボディであり、この車両ボディ２の底部前側に、左右一対の前輪２１…を備えるとともに、底部後側に、左右一対の後輪２２…を備え、エンジンルーム２６に搭載するエンジンにより自走する。一方、車両ボディ２の前部には運転席を設置したキャビン２３を備えるとともに、キャビン２３の外面部位２４には、ヘッドライト等のライト類やバックミラー等の必要な車両設備を備える。さらに、キャビン２３の後方には、薬液タンク２５を搭載するとともに、この薬液タンク２５の後方には上述したエンジンルーム２６を配する。他方、車両ボディ２の後端部には、図１に示す送風部２７を備える。この送風部２７は、風洞カバー２８に覆われた送風機２９を備える。そして、この送風機２９とエンジンルーム２６の間には、車両ボディ２の左右側面２ｐ，２ｑ及び上面２ｕに跨がる送風出口３を設けている。
【００２６】
なお、従来のスピードスプレーヤでは、この送風出口３の内側に噴射空間を有し、この噴射空間に、整流筒に沿った多数の噴射ノズルを備えており、これにより、噴射ノズルから噴射される薬液は、送風部２７からの送風によって送風出口３から、右方，左方及び上方を含む放射方向に噴霧される。これに対して、本実施形態に係る薬液散布機構１は、この送風出口３に、散布方向を適化するユニットとして追加的に付設したものであり、噴射ノズル７…は、付設した薬液散布機構１側に配される。
【００２７】
次に、本実施形態に係る薬液散布機構１の構成について、図１〜図９を参照して具体的に説明する。
【００２８】
薬液散布機構１は、図１に示すように、車両ボディ２の左右にそれぞれ配した一対の適化散布部Ｓ，Ｓを備える。この場合、右側に配する適化散布部Ｓは、送風出口３の右半部に付設することにより、先端に特定の方向となる右方向に向けて開口し、かつ送風出口（一次出口）３に連通する二次出口５を設けてなる散布ダクト６と、この散布ダクト６の内部に配し、かつ二次出口５に沿って配した複数（例示は五つ）の噴射ノズル７…と、散布ダクト６の内部に配し、かつ二次出口５に沿って配した複数（例示は五つ）の整流板８…とを備えて構成する。
【００２９】
また、左側に配する適化散布部Ｓは、右側に配する適化散布部Ｓに対して左右対称となる点を除き、基本的な構成は同じとなる。即ち、送風出口３の左半部に付設することにより、先端に特定の方向となる左方向に向けて開口し、かつ送風出口（一次出口）３に連通する二次出口５を設けた散布ダクト６と、この散布ダクト６の内部に配し、かつ二次出口５に沿って配した複数（例示は五つ）の噴射ノズル７…と、散布ダクト６の内部に配し、かつ二次出口５に沿って配した複数（例示は五つ）の整流板８…とを備えて構成する。
【００３０】
この場合、一方の散布ダクト６は、図２及び図３に示すように、鉛直面に沿った縦に長い長方形の二次出口５と、前記送風出口３に沿った形状の送風入口となる連通口３１が両側にそれぞれ開口した枠形状に形成し、前側面部６ｆ，後側面部６ｒ，前側面部６ｆと後側面部６ｒの下端を連結する底面部６ｄ，前側面部６ｆと後側面部６ｒの上端を連結する湾曲した上面部６ｕの四面を有する。他方の散布ダクト６も、当該一方の散布ダクト６に対して左右対称に構成する点を除き、一方の散布ダクト６と同様に構成する。
【００３１】
これにより、左右一対の散布ダクト６，６の連通口３１，３１を車両ボディ２に取付け、図１（図２及び図３）に示すように、各連通口３１，３１を送風出口３に連通させた際には、左右の二次出口５，５を除き、送風出口３は密閉される。この結果、二次出口５，５以外からの薬液Ｄの漏れ等は阻止される。なお、例示する散布ダクト６，６は、車両ボディ２に固定される。
【００３２】
このように、適化散布部Ｓ…として、車両ボディ２の左右にそれぞれ配し、かつ左方又は右方に向けて開口した二次出口５，５を有する一対の散布ダクト６，６を設ければ、特定範囲となるスピードスプレーヤＭの左方及び右方にのみ薬液を散布できるため、特に、散布高さ（範囲）が比較的低くなるリンゴのわい化栽培やワイン用ブドウ栽培等に対する薬液散布にとって最適な散布を行える利点がある。
【００３３】
一方、各噴射ノズル７…は、図２及び図３に示すように、各二次出口５，５に沿って配設する。一つの噴射ノズル７は、図５及び図８に示すように、第一支持機構１１により噴射方向Ｆｅを可変調整できるように支持する。この場合、第一支持機構１１は、内部に薬液通路Ｒｓを有するパイプシャフト３５の中間部位に噴射ノズル７を取付け、噴射ノズル７と薬液通路Ｒｓを連通させるとともに、パイプシャフト３５の両端を、前側面部６ｆの内面と後側面部６ｒの内面にそれぞれ設けた軸受部３６ｆ，３６ｒにより回動可能に支持する。このパイプシャフト３５の一端（前端）側は、閉塞するとともに、パイプシャフト３５の他端（後端）側は、後側面部６ｒを通して外部に臨むように構成する。他の噴射ノズル７…もそれぞれ第一支持機構１１…により同様に支持する。例示の場合、一つの適化散布部Ｓに、五つの噴射ノズル７…を備え、各噴射ノズル７…は二次出口５に沿って一定間隔置きに配する。これにより、各噴射ノズル７…は、送風出口３を通る送風経路Ｒ内に配されることになる。
【００３４】
そして、外部に臨む各パイプシャフト３５…の先端（後端）は、図１及び図５に示す上下方向に沿って配した左右の薬液供給パイプ３７…から分岐する複数（例示は五つ）の分岐パイプ部にそれぞれ連通させるとともに、薬液供給パイプ３７…の下端に接続部３７ｊ…（図６参照）を設け、この接続部３７ｊ…に、薬液ポンプ側からの薬液供給チューブ（不図示）を接続する。このように、適化散布部Ｓ…に、噴射ノズル７…の噴射方向Ｆｅ…を変更可能に支持する第一支持機構１１…を設ければ、第一支持機構１１…により噴射ノズル７…の噴射方向Ｆｅ…を可変調整できるため、特に、散布対象物に対する散布方向の最適化を容易に行うことができる利点がある。
【００３５】
また、各整流板８…は、図２及び図３に示すように、二次出口５，５に沿って配設する。一つの整流板８は、図５及び図８に示すように、第二支持機構１２により整流方向Ｆｓ…を可変調整できるように支持される。この場合、第二支持機構１２は、矩形に形成した整流板本体部８ｍにおける車両ボディ２の前後方向両側の端辺に、上方へ直角に折曲形成した被支持部８ｆ，８ｒを設け、この被支持部８ｆ，８ｒの一端側を回動部３９ｆ，３９ｒにより回動可能に支持する。例示の場合、一つの適化散布部Ｓに、五つの整流板８…を備え、各整流板８…は二次出口５に沿って一定間隔置きに配されるとともに、各噴射ノズル７…同士の間に配される。このように、適化散布部Ｓ…に、整流板８…の整流方向Ｆｓ…を変更可能に支持する第二支持機構１２…を設ければ、第二支持機構１２…により整流板８…の整流方向Ｆｓを可変調整できるため、噴射ノズル７…における噴射方向Ｆｅの可変調整と併せて、散布対象物に対する散布方向の安定化及び適正化を図ることができる利点がある。
【００３６】
さらに、一方の適化散布部Ｓ（他方の適化散布部Ｓも同じ）における各第一支持機構１１…と各第二支持機構１２…は、図２及び図８に示す連動機構１３により連結する。この場合、後側面部６ｒの内面であって、整流板８…の中間部に対応する位置に、上下に長い一本の主レバー部４１を配し、この主レバー部４１に、各噴射ノズル７…の内側に設けた副レバー部４２…を回動部４３…を介して回動自在に連結するとともに、各整流板８…の被支持部８ｒ…における中間部位を回動部４４…を介して回動自在に連結する。また、後側面部６ｒの外面には回転駆動用の第一アクチュエータ４５を配設し、この第一アクチュエータ４５の回転出力軸４５ｓは後側面部６ｒを貫通して内面側に至らせる。そして、この内面側に位置する回転出力軸４５ｓの先端に、回転伝達リンク４６の一端を固定するとともに、回転伝達リンク４６の他端側を、主レバー部４１に回動自在に連結する。この際、回転伝達リンク４６の他端側には長孔による係合スリット４６ｓを形成し、この係合スリット４６ｓに主レバー部４１に固定した係合ピン４１ｓを係合させる。
【００３７】
このように、第一支持機構１１…と第二支持機構１２…を連動させる連動機構１３を設ければ、いわゆるワンタッチ操作（動作）により、各噴射ノズル７…及び各整流板８…の向きを同時に調整できるため、可変調整の容易化及び迅速化を図れるとともに、ユーザーの利便性の向上にも寄与できる利点がある。
【００３８】
他方、図５及び図９に示すように、各散布ダクト６…の上端付近であって、噴射ノズル７…の上方の位置には、前側面部６ｆ…と後側面部６ｒ…間に貫通する伝達シャフト５１…をそれぞれ回動自在に配設する。そして、一方の散布ダクト６側（他方の散布ダクト６側も同じ）においては、前側面部６ｆから外面側に突出する伝達シャフト５１の先端に、薬液Ｄをストレート状に放出して散布を行う放出ノズル１５の側面部を取付けるとともに、後側面部６ｒから外面側に突出する伝達シャフト５１の先端には後側面部６ｒの外面に取付けた回転駆動用の第二アクチュエータ５２の回転出力部を結合する。また、放出ノズル１５の後端には、図９に示すように、接続部１５ｊを一体に設け、この接続部１５ｊに、薬液ポンプ側からの薬液供給チューブ（不図示）を接続する。
【００３９】
このように、適化散布部Ｓ…に、噴射ノズル７…に加え、少なくとも一以上の放出ノズル１５…を設ければ、噴射ノズル７…によっては散布できない範囲、特に、高さのある散布対象物に対しても薬液散布が可能になるため、例えば、公園やゴルフ場等における高い樹木に対しての薬液散布も確実に行うことができるなど、使用範囲をより広げることができるとともに、スピードスプレーヤＭの機能性及び多様性を含む商品性をより高めることができる利点がある。
【００４０】
この場合、伝達シャフト５１…は、放出ノズル１５…を支持するとともに、放出ノズル１５…の放出方向Ｆｒ…を変更可能にする第三支持機構１６を構成する。このように、適化散布部Ｓ…に、放出ノズル１５…の放出方向Ｆｒ…を変更可能に支持する第三支持機構１６を設ければ、第三支持機構１６…により放出ノズル１５…の放出方向Ｆｒを可変調整できるため、特に、高い樹木等の散布対象物に対する散布方向の最適化を図ることができる利点がある。
【００４１】
なお、図７には、操作系のブロック系統Ｅを示す。図７中、６１は電源供給部を含むドライバユニットを示し、このドライバユニット６１の制御入力部には、前述したキャビン２３に配した第一操作部６２と第二操作部６３を接続するとともに、ドライバユニット６１の駆動出力部には第一アクチュエータ４５及び第二アクチュエータ５２を接続して構成する。
【００４２】
次に、本実施形態に係る薬液散布機構１の機能（作用）及び使用方法について、図１〜図９を参照して説明する。
【００４３】
前述したように、薬液供給パイプ３７…の下端に設けた接続部３７ｊ…と、放出ノズル１５…の後端に設けた接続部１５ｊ…には、それぞれ薬液ポンプ側からの薬液供給チューブ（不図示）が接続される。この場合、各薬液供給チューブの中途位置には、図示を省略した制御バルブが接続されており、それぞれ薬液供給に対する独立した制御が可能である。これにより、薬液ポンプ側から薬液供給チューブを介して接続部３７ｊ…に薬液Ｄが供給されるとともに、この薬液Ｄは、さらに、薬液供給パイプ３７…に供給される。これにより、薬液供給パイプ３７の薬液Ｄは、各噴射ノズル７…に供給され、各噴射ノズル７…からは、ミスト状の薬液Ｄが図１に示すように散布される。
【００４４】
この場合、基本位置では、各噴射ノズル７…の噴射方向Ｆｐ…は、水平方向右方及び左方となっているため、図１に示すような散布高さ（範囲）が比較的低くなるリンゴ果樹Ｔを用いたリンゴのわい化栽培やワイン用ブドウ栽培等に対して最適な薬液散布を行うことができる。これにより、最も少ない散布量により最も高い薬液効果を享受できるなど、散布効率及び散布効果を飛躍的に高めることが可能になり、特定の果樹栽培に対する薬液散布の最適化を実現することができる。
【００４５】
この際、噴射ノズル７…による薬液散布の散布方向Ｆｐ…は、変更（調整）することができる。今、キャビン２３に設けた第一操作部６２を操作すれば、この操作はドライバユニット６１に付与される。これにより、ドライバユニット６１はこの操作に対応した駆動制御信号を第一アクチュエータ４５…に供給する。これにより、第一アクチュエータ４５…が作動し、回転出力軸４５ｓ…を、対応した角度だけ回転させる。この結果、回転伝達リンク４６…が回動変位し、主レバー部４１…を上方変位又は下方変位させる。この場合、主レバー部４１…が、下方変位すれば、図８に実線で示すように、各噴射ノズル７…の噴射方向Ｆｅ…は上向きに変更されるとともに、各整流板８…の整流方向Ｆｓ…も噴射方向Ｆｅ…と同じ角度だけ上向きに変更される。一方、主レバー部４１が、上方変位すれば、逆方向に変更される。
【００４６】
このように、散布対象物に対する散布方向の最適化を容易に行うことができるとともに、散布方向の安定化及び適正化を図ることができる。しかも、連動機構１３…により、各噴射ノズル７…及び各整流板８…の方向を同時に調整できるため、可変調整の容易化を図れるとともに、ユーザーの利便性の向上にも寄与できる。
【００４７】
一方、薬液ポンプ側から薬液供給チューブを介して接続部１５ｊ…に薬液Ｄが供給され、薬液Ｄは、放出ノズル１５…からストレート状に放出される。この場合、基本位置では、放出ノズル１５…が斜め上方を向いているため、噴射ノズル７…では散布できない範囲、特に、高さのある散布対象物に対しても薬液散布が可能となり、例えば、公園やゴルフ場等における高い樹木に対しての薬液散布に最適となる。
【００４８】
この際、放出ノズル１５…による放出方向Ｆｒ…も変更することができる。この場合、キャビン２３に設けた第二操作部６３を操作すれば、この操作はドライバユニット６１に付与される。そして、ドライバユニット６１はこの操作に対応した駆動制御信号を第二アクチュエータ５２…に供給する。これにより、第二アクチュエータ５２…が作動し、この回転出力部を介して、伝達シャフト５１…、更には放出ノズル１５…を、対応した角度だけ回転させる。この結果、図９に実線で示す放出ノズル１５…及び仮想線で示す放出ノズル１５…のように、薬液Ｄの放出方向Ｆｒ…を任意に変更することができる。
【００４９】
なお、噴射ノズル７…による薬液散布と放出ノズル１５…による薬液散布は、上述したように、薬液供給チューブの中途位置にそれぞれ接続した制御バルブを制御することにより選択的に行うことができるとともに、必要に応じて同時に行うこともできる。
【００５０】
次に本発明の変更実施形態に係る薬液散布機構１について、図１０〜図１３を参照して説明する。
【００５１】
図１０は、第一変更実施形態に係る薬液散布機構１を示す。この薬液散布機構１は、各散布ダクト６…の連通口３１…を形成する縁端部に、９０〔°〕折曲した取付フランジ７１…を一体に形成し、この取付フランジ７１…を、ボルトナット等の着脱可能な固定具を用いて車両ボディ２に取付け可能にしたものである。前述した図１〜図９に示した実施形態は、散布ダクト６…を車両ボディ２に対して固定したが、図１０に示す第一変更実施形態では、散布ダクト６…を車両ボディ２に対して着脱可能にすることができる。
【００５２】
このように、散布ダクト６…（適化散布部Ｓ…）は、車両ボディ２に対して固定してもよいし又は着脱可能に構成してもよいなど、機種グレード等に対応して取付形態を選択できる。特に、着脱可能に構成すれば、既存のスピードスプレーヤＭに対しても後付けすることも可能になるため、適化散布部Ｓ…をアタッチメントとして用意すれば、ユーザーはスピードスプレーヤＭを買い替えることなく、所有するスピードスプレーヤＭの性能（付加価値）を高めることができる。これにより、汎用性の高い薬液散布機構１として提供できるとともに、必要に応じて、本発明に係る薬液散布機構１と従来の散布形態を選択して利用できる利点がある。
【００５３】
図１１〜図１３は、第二変更実施形態に係る薬液散布機構１を示す。この薬液散布機構１は、図１０に示した一対の適化散布部Ｓ…に加え、この適化散布部Ｓ…と車両ボディ２間に介在させる中間アタッチメント８１を設けたものである。したがって、この場合、各散布ダクト６…の連通口３１…を形成する縁端部に、図１０と同様に、９０〔°〕折曲した取付フランジ７１…を一体に形成するとともに、中間アタッチメント８１の上端辺部に、取付フランジ７１…に結合可能な取付フランジ８２を一体に形成し、かつ中間アタッチメント８１の下端辺部に、車両ボディ２に取付可能な取付フランジ８３を一体に形成したものである。この中間アタッチメント８１を用いることにより、車両ボディ２に、散布ダクト６…を取付けるための同一曲率の円弧面を設けることができる。
【００５４】
これにより、図１１に示した第二変更実施形態に係る薬液散布機構１は、図１２及び図１３に示す使用態様で利用することが可能となる。
【００５５】
図１２は、図１及び図１０と同様、二次出口５…を左右方向に向けた態様により使用する場合を示す。この場合、中間アタッチメント８１の下端辺部に設けた取付フランジ８３を車両ボディ２に対して、ボルトナット等の固定具を利用して取付けるとともに、各散布ダクト６…（各適化散布部Ｓ…）を図１及び図１０と同様の位置関係により、中間アタッチメント８１の上端辺部に設けた取付フランジ８２及び車両ボディ２に対して、ボルトナット等の固定具を利用して着脱可能に取付ければよい。
【００５６】
他方、図１３は、各散布ダクト６…（各適化散布部Ｓ…）を相互に入れ替えるとともに、それぞれ取付角度を９０〔°〕変更するものであり、これにより、各二次出口５…を上方向に向けた態様により使用することができる。この場合、各散布ダクト６…の取付位置及び角度を変更する以外は、図１２の場合と同様に取付けることができる。このように、図１１（図１２及び図１３）に示す第二変更実施形態に係る薬液散布機構１は、図１０に示した第一変更実施形態に係る薬液散布機構１と同様の着脱構造を備えるメリットに加え、薬液の散布方向（噴射方向Ｆｅ…）を９０°変更できるメリットを享受でき、特に、散布方向（噴射方向Ｆｅ…）を上方に変更した場合には、ブドウ棚で栽培するブドウ果樹に真下から上方へのみ効率的に散布できる。
【００５７】
なお、図１１〜図１３の実施形態では、一つの中間アタッチメント８１を用意したが、さらに、車両ボディ２における下側の左右に取付ける第二及び第三の中間アタッチメントを用意することにより、二次出口５…をより広くすることも可能である。図１１〜図１３の実施形態では、車両ボディ２における下側の左右に存在する送風出口３による開口部は、同一曲率にする円弧形状を確保していない例のため、遮蔽プレート等で閉塞するとともに、左右の薬液供給パイプ３７…は、取付時において相互に干渉しないように短く形成した態様を示している。
【００５８】
その他、図１０において、図１〜図９と同一部分には同一符号を付すことにより、その構成を明確するとともに、図１１〜図１３において、図１〜図１０と同一部分には同一符号を付すことにより、その構成を明確した。このため、同一部分における詳細な説明は省略する。
【００５９】
よって、このような本実施形態に係るスピードスプレーヤＭの薬液散布機構１によれば、基本構成として、車両ボディ２の送風出口３に付設することにより、先端に特定の方向に向けて開口し、かつ送風出口（一次出口）３に連通する二次出口５…を設けた散布ダクト６…と、この散布ダクト６…の内部に配し、かつ二次出口５…に沿って配した複数の噴射ノズル７…と、散布ダクト６…の内部に配し、かつ二次出口５…に沿って配した複数の整流板８…とを備えて構成した左右一対の適化散布部Ｓ…を設けてなるため、散布手法としては、薬液の散布方向を規制する方法ではなく、薬液の散布方向を特定する方法、いわば積極的手法となる。この結果、不要な方向への薬液の飛散防止効果をより高めることができる。また、特定の果樹栽培、例えば、散布高さ（範囲）が比較的低くなるリンゴのわい化栽培やワイン用ブドウ栽培等に対して、最も少ない散布量により最も高い薬液効果を享受できるなど、散布効率及び散布効果を飛躍的に高めることが可能になり、特定の果樹栽培に対する薬液散布の最適化を実現することができる。
【００６０】
以上、好適実施形態（及び変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００６１】
例えば、二次出口５…における特定の方向として、左右方向と上方の二つの例を示したが、斜め上方であってもよいし、或いは高さが１メートル以下の低い果樹や野菜等を対象とした斜め下方であってもよい。また、噴射ノズル７…と整流板８…は、それぞれ五つずつ配した場合を例示したが、それぞれ任意の複数であってもよいし、それぞれ一つの場合を排除するものではない。また、適化散布部Ｓ…は、車両ボディ２の左右に一対配した場合を例示したが、さらに区分エリアを増やすことにより三以上の適化散布部Ｓ…を配してもよいなど、取付ける適化散布部Ｓ…の数は任意である。一方、第一支持機構１１…，第二支持機構１２…，連動機構１３…，放出ノズル１５…，第三支持機構１６…は、設けることが望ましいが、必ずしも必須の要素ではなく、必要に応じて設けることができる。加えて、各部の形状や細部の構成、例えば、散布ダクト６…の形状、噴射ノズル７…の噴射態様，放出ノズル１５…の放出態様等は、用途等に応じて任意に選定できる。
【産業上の利用可能性】
【００６２】
本発明に係る薬液散布機構は、車両ボディの左右側面及び上面に跨がる送風出口を通る送風経路内に噴射ノズルを配した各種スピードスプレーヤに利用できる。
【符号の説明】
【００６３】
１：薬液散布機構，２：車両ボディ，２ｐ，２ｑ：車両ボディの左右側面，２ｕ：車両ボディの上面，３：送風出口（一次出口），５…：二次出口，６…：散布ダクト，７…：噴射ノズル，８…：整流板，１１…：第一支持機構，１２…：第二支持機構，１３…：連動機構，１５…：放出ノズル，１６…：第三支持機構，Ｍ：スピードスプレーヤ，Ｒ：送風経路，Ｓ…：適化散布部，Ｆｅ…：噴射方向，Ｆｓ…：整流方向，Ｆｒ…：放出方向
【図１】
2018069110.tif 000003
【図２】
2018069110.tif 000004
【図３】
2018069110.tif 000005
【図４】
2018069110.tif 000006
【図５】
2018069110.tif 000007
【図６】
2018069110.tif 000008
【図７】
2018069110.tif 000009
【図８】
2018069110.tif 000010
【図９】
2018069110.tif 000011
【図１０】
2018069110.tif 000012
【図１１】
2018069110.tif 000013
【図１２】
2018069110.tif 000014
【図１３】
2018069110.tif 000015